(57)【特許請求の範囲】
【請求項１】
基板を支持するように構成され、第１熱膨張係数を有する第１材料を含み、そこから延びる複数のピンを有する基板支持と、
第１熱膨張係数とは異なる第２熱膨張係数を有する第２材料を含み、そこに形成された複数の中空領域を有する端部リングと
を備え、前記それぞれの中空領域は、前記複数のピンの対応するものと少なくとも同じ広さであり、熱サイクルの間に基板支持が膨張及び収縮する方向に延びており、さらに、
各々が断熱材料を有すると共に、各々が前記複数のピンの異なる１つを取囲むことにより、前記基板支持と前記端部リングを分離する、複数のパッドと
を備え、
前記複数のピンが前記複数の中空領域内に挿入され、前記複数の中空領域のそれぞれは、
装置が晒される処理温度の範囲に渡り、前記第１熱膨張係数と前記第２熱膨張係数との差により生じた前記基板支持と前記端部リングの異なる膨張を補償するのに十分な長さ、延びており、また、
前記複数のピンの対応するものの長さ以上の深さを有し、断熱パッドの使用で、前記端部リングが前記基板支持から断熱されるようになっている
ことを特徴とする装置。
【請求項２】
前記基板支持は前記複数のピンが延びるディフューザーリングをさらに備え、前記端部リングはパージリングを備えている請求項１に記載の装置。
【請求項３】
前記第１材料は金属を備え、前記第２材料はセラミックを備えている請求項１に記載の装置。
【請求項４】
前記基板支持は基板支持表面を有し、前記複数のピンは前記基板支持表面の回りで均等に間隔を空けられており、前記複数の中空領域のそれぞれは前記基板支持表面に対して外側放射状に延びている請求項１に記載の装置。
【請求項５】
前記基板支持はパージガス経路を備え、前記端部リングはパージリングを備えている請求項１に記載の装置。
【請求項６】
前記端部リングはシャドウリングを備えている請求項１に記載の装置。
【請求項７】
第１熱膨張係数を有する第１材料を含み、そこから延びる複数のピンを有する端部リングと、
第１熱膨張係数とは異なる第２熱膨張係数を有する第２材料と、
パージガス放出経路と、
各々が前記複数のピンの対応するものと少なくとも同じ広さであり、熱サイクルの間に前記基板支持が膨張すると共に収縮する方向に延びる、複数の中空領域と
を有する基板支持と、
前記基板支持と前記端部リングとの間に形成され、前記パージガス放出経路からのガスを受けて、該ガスを少なくとも前記基板支持によって支持された基板の端部へ分配するように構成されている、パージガス分配経路と
を備え、
前記複数のピンは前記複数の中空領域内に挿入され、
前記複数の中空領域のそれぞれは、前記装置が晒される処理温度の範囲に渡り、前記第１熱膨張係数と前記第２熱膨張係数の差を補償するのに十分な長さ、延びており、さらに、
前記複数のピンは、前記パージガス分配経路の近傍に配置され、該パージガス分配経路を通るガスの流れをブロックしないようにされている
ことを特徴とする装置。
【請求項８】
パージガス放出経路を有する基板支持と、
前記基板支持に結合されたパージリングと、
前記基板支持と前記パージリングの間に形成され、前記パージガス放出経路から前記パージガス分配経路を通って前記基板支持により支持された基板の端部に流れるパージガスの量を制限するように適合されたリストリクターの間隙を有するパージガス分配経路と
を備え、
前記パージリングと前記基板支持とは少なくともピン及びスロットを介して結合され、断熱パッドが前記ピンを取り囲み、前記結合されたピン及びスロットは、前記パージリングと前記基板支持との間の相対運動を防止するようにされていることを特徴とする装置。
【請求項９】
パージリングと、
出口を含み、該出口の方向で上方に向かっているパージガス放出経路と、
少なくともピン及びスロットを介して、また断熱パッドが前記ピンを取り囲んで、前記パージリングに取り外し可能に結合するために構成された表面と
を有する基板支持と
を備え、
前記結合されたピン及びスロットは、前記パージリングと前記基板支持との間の相対運動を防止するようにされており、
前記パージリング及び前記基板支持は、結合されるとパージガス分配経路を形成し、該パージガス分配経路は、
パージガス放出経路からのガスを受け、
前記ガスを前記基板支持によって支持された基板の端部へ分配する
ように構成されていることを特徴とする装置。
【請求項１０】
第１熱膨張係数を有する第１材料を含み、そこから延びる複数のピンを有する端部リングと、
基板を支持するように構成され、第１熱膨張係数とは異なる第２熱膨張係数を有する第２材料を含む、基板支持であって、該基板支持は、そこに形成された複数の中空領域を有し、前記それぞれの中空領域は、前記複数のピンの対応するものと少なくとも同じ広さであり、熱サイクルの間に基板支持が膨張及び収縮する方向に延びている、前記基板支持と、
各々が断熱材料を有すると共に、各々が前記複数のピンの異なる１つを取囲むことにより、前記基板支持と前記端部リングを分離する、複数のパッドと
を備え、
前記複数のピンが前記複数の中空領域内に挿入され、前記複数の中空領域のそれぞれは、
装置が晒される処理温度の範囲に渡り、前記第１熱膨張係数と前記第２熱膨張係数との差により生じた前記基板支持と前記端部リングの異なる膨張を補償するのに十分な長さ、延びており、また、
前記複数のピンの対応するものの長さ以上の深さを有し、断熱パッドの使用で、前記端部リングが前記基板支持から断熱されるようになっている
ことを特徴とする装置。
【請求項１１】
第１熱膨張係数を有する第１材料と、
パージガス放出経路と、
そこから延びる複数の中空領域と
を有する基板支持と、
第１熱膨張係数とは異なる第２熱膨張係数を有する第２材料を含む、端部リングであって、該端部リングは、そこに形成された複数のピンを有し、前記それぞれの中空領域は、前記複数のピンの対応するものと少なくとも同じ広さであり、熱サイクルの間に基板支持が膨張及び収縮する方向に延びている、前記端部リングと、
前記基板支持と前記端部リングとの間に形成され、前記パージガス放出経路からのガスを受けて、該ガスを少なくとも前記基板支持によって支持された基板の端部へ分配するように構成されている、パージガス分配経路と
を備え、
前記複数のピンは前記複数の中空領域内に挿入され、
前記複数の中空領域のそれぞれは、前記装置が晒される処理温度の範囲に渡り、前記第１熱膨張係数と前記第２熱膨張係数の差を補償するのに十分な長さ、延びており、さらに、
前記複数のピンは、前記パージガス分配経路の近傍に配置され、該パージガス分配経路を通るガスの流れをブロックしないようにされている
ことを特徴とする装置。
【発明の詳細な説明】
【０００１】
【発明の属する技術分野】
本発明は基板の端部及び後面への処理ガスの堆積をより均一に抑制し、容易に洗浄できる改善したサセプタに関する。
【０００２】
【従来の技術】
化学気相成長法（ＣＶＤ）は半導体基板に材料の薄膜を堆積するために使用される多数の処理の１つである。ＣＶＤを使用して基板を処理するため、真空チャンバーは基板を受け取るように構成されたサセプターを供給されている。通常のＣＶＤチャンバーでは、基板はロボットブレードによりチャンバーに配置されると共に取り除かれ、処理の間、サセプタにより支持される。先駆物質ガスは基板上方に置かれたガスマニホールド板を通って真空チャンバーに充填され、基板は、通常約２５０℃から６５０℃の範囲の処理温度まで加熱される。先駆物質ガスは加熱された基板表面で反応し、そこに薄層を堆積し、揮発性の副産物ガスを形成し、チャンバー排気システムを介して排出される。
【０００３】
【発明が解決しようとする課題】
基板処理の主要な目的は最大の有用な表面領域を得て、結果として、各基板から可能な最大数のチップを得ることである。これは、処理される基板の端部を排除することのない、すなわち、ウェーハの端部を含めて基板表面の如何なる部分も無駄にしないという半導体チップ製造業者による最近の要求により強調されてきている。考える幾つかの重要な要因は、基板に堆積された層の均一性及び厚さに影響を与える処理変数、及び基板に付着し、基板の全て又は一部分を無用にする汚染物質を含んでいる。これらの要因の両方は処理された各基板のための有用な表面領域を最大にするように制御されるべきである。
【０００４】
チャンバー内の粒子汚染の１つの原因は端部又は基板の後面での材料の堆積である。通常、基板端部は面取りされ、これらの表面上で堆積を制御するのを困難にしている。従って、基板端部での堆積は不均一となることがある。さらに、金属が堆積されるところでは、それはシリコンより異なって誘電体に付着する傾向がある。ウェーハの誘電層が面取り部まで延びない場合には、金属はシリコンの面取り部に堆積され、剥離を生じさせることがある。これは、基板の端部、そして結局はチップ又は薄片に適当に付着しない堆積層となり、チャンバー内に不必要な粒子を発生させる。
【０００５】
さらに、化学機械的研磨はしばしば、タングステン又は他の材料で被覆された基板の表面を円滑にするために使用される。研磨の作用は端部及び後面に堆積させ、剥離させると共に不必要な粒子を発生させる。多数のアプローチが使用され、処理中の基板端部への処理ガスの堆積を制御する。１つのアプローチは、基板の外辺部の一部分を本質的に処理ガスから覆うシャドウリングを使用し、基板の全体有効表面領域を減少させる。端部を排除しないという現在の要求に照らして、この方法は余り好ましくなくなって来ている。
【０００６】
別のアプローチは、基板の端部近くのパージリングを使用し、基板の端部に沿ってパージガスを放出し、それにより端部の堆積を防止する。パージガスは堆積ガスが基板に到達するのを制限又は防止し、従って、ウェーハの面取り端部への堆積を防止する。第３のアプローチは、シャッターリングとパージリングを組合せて使用し、基板の端部近傍にパージガス入口及び出口を有するパージガスチャンバーを形成し、ウェーハの端部を渡ってパージガスを導くようになっている。
【０００７】
一般的に、ウェーハはその間に間隙をあけてパージリングのちょうど内側（放射状に）位置している。伝統的に、パージリングはアルミニウム製であり、処理中にリングが変形するのを防止するように努力して基板支持に溶接される。しかし、ＣＶＤ処理チャンバー内に起こる熱サイクルの間、それにもかかわらず、アルミニウムリングは変形し、それらの形状の完全性は失われ、そのため基板の端部に粒子が堆積するのを抑制する能力を損なう。これは間隙の寸法を変え、ウェーハの端部に不均一な堆積をさせる。アルミニウムリングが膨張すると共に収縮すると、その材料は剥離し、ウェーハを汚染する可能性のある粒子を発生させる。
【０００８】
さらに、光を遮り、特にパージするために有効に作動するリングのため、それらはしばしば洗浄され、間隙を変えたり、又は剥げ落ちてウェーハに堆積したりする可能性のある堆積材料を取り除かなければならない。そのような洗浄はチャンバーの休止時間を増加させ、スループットを減少させ、結果として稼動コストが高くなる。従って、端部の堆積を確実に防止でき、容易に洗浄可能な改善したサセプタの必要性がある。
【０００９】
【課題を解決するための手段】
本発明は、基板支持より小さい熱膨張率（ＣＴＥ）を有する材料製の取外し可能な端部リングを有する基板支持を供給することにより従来技術の問題を克服する。端部リング及び基板支持はピン及びスロット結合のために構成される。特に、端部リング又は基板支持の一方は複数のピンを備え、端部リング又は基板支持の他方はピンが挿入される複数の中空領域又はスロットを含んでいる。スロットは少なくとも複数のピンの対応するものと同じ広さであり、基板支持が熱サイクルの間に膨張されると共に収縮される方向に延びている。両方のスロットは、装置が晒される処理温度の範囲で、基板支持のＣＴＥと端部リングのＣＴＥの差を補償するのに十分な長さ、延びている。好ましくは、サセプタはアルミニウム製であり、端部リングはセラミック製である。
【００１０】
サセプタの性能は、複数のピンのそれぞれを断熱パッドで取囲むことにより、そして、各スロットが復習のピンの対応するものの長さ以上の深さを有することを保証することにより、断熱パッドの使用がピンと端部リングの両方を基板支持から断熱するようになり、さらに改善される。
【００１１】
端部リングはシャドウリング及び又はパージリングタイプのいずれかであってもよい。基板支持はパージリング及び又はパージガス経路を含んでいてもよい。基板支持表面の回りで放射状に間隔を空け、基板支持表面に関して放射状外側に延びている３つのスロットと連動している３つのピンが現在、好まれている。
【００１２】
本発明の端部リングは、その比較的低いＣＴＥにより、及び端部リングと基板支持の間のピン及びスロット結合により、変形に耐える。さらに、ピン及びスロット結合は端部リングを洗浄のため迅速且つ容易に取り除かせ、従って、チャンバーの休止時間を減少させる。
【００１３】
本発明の他の目的、特徴及び利点は好適な実施例の以下の詳細な説明、添付した特許請求の範囲及び添付図面からもっとよく明らかになるであろう。
【００１４】
【発明の実施の形態】
図１は発明のサセプタ１１ａの第１の特徴の分解斜視図である。サセプタ１１ａは基板支持１３を備え、パージリング１５のように端部リングを有するピン及びスロット結合に適合する。特に、基板支持１３は基板支持１３の最上面から上方に延びる３つのピン１９ａ〜ｃを備えている。パージリング１５の最下面は３つのピン１５ａ〜ｃと連動するように配置された３つの中空領域又はスロット１７を備えている。基板支持１３は中央ウェーハ支持表面１３ａを備え、３つのピン１９は基板支持表面１３ａの回りを放射状に均等に間隔を空けられている。それぞれのスロット１７は少なくとも対応するピン１９と同じ広さであり、熱サイクルの間に基板支持が膨張及び収縮する方向で、基板支持表面１３ａの中央から放射状外側に延びている。
【００１５】
好ましくは、基板支持１３は従来のようにアルミニウムのような金属製である。パージリング１５は基板支持材料のＣＴＥより小さいＣＴＥを有する材料製である。好ましくは、パージリングはセラミック製である。スロット１７はサセプタ１１ａが晒されている処理温度の範囲に渡り、基板支持材料のＣＴＥとパージリング材料のＣＴＥの差を補償するのに十分な長さ、延びている。好ましくは、各ピン１９は断熱材料製のパッド２１により取囲まれており、図２に関連してさらに後述するように、基板支持１３及びパージリング１５の間で断熱を達成するようになっている。好ましくは、パッド２１はよく研磨されたセラミック製であり、そのため、粒子の発生を最小にしている間、パージリング１５をそれに沿って容易にスライドさせる。パージリング１５は複数のウェーハのガイドピン２３をさらに含み、（この引用によりその全体にここに組込まれた）１９９８年６月２４日に出願された米国特許出願No.09/103,462に開示されているように、正確なウェーハの配置を容易にする。
【００１６】
図２は発明のサセプタ１１ａの第１の特徴の適切な部分の側面図であり、そこに配置されたウェーハＷを有している。図２に示されているように、基板支持１３、パージリング１５及びスロット１７はパッド２１の使用により基板支持１３とパージリング１５の間に直接の接触がないように構成されている。パージリング１５を金属の基板支持１３から断熱することにより、パージリング１５が通常のより高い温度の基板支持１３と直接接触する場合には、パージリング１５はそうでない場合に生じるより小さい熱応力を受ける。また図２に示されているように、スロット１７はぴん９の長さ以上の深さを有し、基板支持１３からピン１９を介してパージリング１５への熱伝導を減少させる。
【００１７】
スロット１７は基板支持表面１３の中央部に対して放射状外側に延び、好ましくは、それぞれのピン１９よりそれぞれほんの僅かに広く、従って、スロット１７とピン１９の一対の間の隙間に要求される距離以上の熱サイクルで引き起こされた膨張及び収縮の結果として、パージリング１５が横に動くのを防ぐようになっている。この方法では、ピンはまた回転配列を供給する。
【００１８】
基板支持１３はパージガス放出経路２５とディフューザリング１３ｂとを備え、ディフューザリングはディフューザリング１３ｂの内側端部と基板支持１３の外側端部により形成されたパージガス分配経路２７を通り、その後、ディフューザリング１３ｂで形成された複数の小さいオリフィスを通ってパージリング１５の下端部にパージガス放出経路２５からのパージガスを結合する。
【００１９】
作動では、ウェーハＷはウェーハ支持表面１３ａに配置され、ウェーハＷの端部がパージスロット２９の外側近傍に配置されるようになっている。この方法では、パージガスがウェーハＷの端部に沿ってパージガススロット２９を通って上方に流れる時、ウェーハ端部の堆積は回避される。堆積を可能にするため、サセプタは、サセプタに埋め込まれた加熱コイル又はその下側と接触した加熱コイルにより、３５０℃から４７５℃の範囲の温度まで加熱される。しかし、チャンバーの保守又は点検のため、サセプタは通常、周囲の温度に冷却させる。
【００２０】
この温度変化は基板支持及びパージリングを含むチャンバーエレメントの膨張及び収縮を引き起こす。ＣＶＤ処理の間に起こる熱サイクル、及び結果として起こる基板支持１３及びディフューザリング１３ｂの膨張及び収縮に拘らず、パージリング（及びそれを支持するピン）はピン及びスロット結合のため、温度が変化すると放射状に動くことができるので、熱により引き起こされた応力はパージリングにかからない。パージリングとウェーハの間の隙間の熱で引き起こされた膨張はほんの僅かである。その上さらに、パージリング１５は日常の洗浄及び交換のためピン１９を容易に持上げられてもよい。従って、休止時間は最小となる。
【００２１】
図３は発明のサセプタの第２の特徴の適切な部分の側面図である。図３の発明のサセプタ１１ｂは、図２の基板支持がディフューザリング１３ｂを備えていないことを除いて、図２のサセプタ１１ａに類似している。代わりに、より狭く形成されたパージガススロット２９のように、パージガス放出経路２５はパージリング１５の内側端部と基板支持１３の外側端部により規定されるパージガス分配経路２７にパージガスを送る。図３の実施例はより少ない部品を必要とし、（図１の）オリフィスＯをリストリクターの間隙Ｒと交換する。リストリクターの間隙Ｒは基板支持１３の水平切欠き部及びパージリング１５の対応する水平な突出部により形成されている。リストリクターの間隙Ｒのサイズは基板支持１３及びパージリング１５の水平な切欠き部又は突出部に対するそれぞれ垂直な寸法及びパッド２１の厚さにより決定される。そのため、連続して基板支持の回りに放射状に延びるリストリクターの間隙Ｒが複数のオリフィスＯより詰まりにくそうなので、図３の実施例は図１の実施例のオリフィスＯにより受ける閉塞を減少させる。部品数を減少させることにより、図３の実施例はまたその間の異なる膨張及び結果として生じる粒子の発生の可能性を減少させる。図１及び２の実施例のように、パージリング１５は断熱パッド２１に置かれ、ピン１９により整列される。
【００２２】
図４は発明のサセプタの第３の特徴の適切な部分の側面図である。図４に示されているように、発明のサセプタ１１ｃのパージリング１５はパージリング１５の最下面から下方に延びる複数のピン(１つだけ図示されている）を有している。ピン１９はパージリング１５に押圧され、パッド２１は同一の方法でピン１９に固定され、又は恐らくピン１９に絶対必要である。作動では、ピン１９は基板支持１３に配置された対応するスロット１７内に挿入される。この例では、スロット１７は基板支持１３のディフューザリング部分１３ｂに形成されている。従って、図４はピン１９及びスロット１７の位置が切換えられ、ピン及びスロット結合の利点を依然として成し遂げることを示している。
【００２３】
図５Ａ及び５Ｂは発明のサセプタ１１ｄの第４の特徴の適切な部分の側面図である。図５Ａ及び５Ｂのパージリング１５はその内側端部１５ａがウェーハＷの端部に張出すように構成されている。従って、パージリング１５は、当技術で公知なように、パージリング及びシャドウリングの両方として機能する（ウェーハの端部を張出し又は光を遮る）。図５Ａ及び５Ｂのピン及びスロット結合は、図２及び３に関連させて上述したように、パージ／シャドウリング１５の形状又は位置に影響を与えることなしに基板支持１３を膨張及び収縮させる。図５Ａは処理位置のパージ／シャドウリング１５を示し、図５Ｂはウェーハ搬送位置のパージ／シャドウリング１５を示している。シャドウリングはウェーハの端部に重なるので、ウェーハＷが基板支持１３に置かれ、又はそこから引抜かれる間、それらは伝統的に（例えば、チャンバー壁から突出するハンガー又は唇状部により）基板支持上方のウェーハ搬送位置で支持されている。ウェーハが基板支持１３に置かれた後、基板支持１３は上昇し、さらに後述するように、唇状部から基板支持１３にシャドウリングを搬送する。
【００２４】
パージ及び又はシャドウリングで使用されるかどうかの伝統的な基板支持は最初、ウェーハ搬送位置に降下される。その後、ウェーハハンドラーは基板支持１３の上方の位置にウェーハを運び、基板支持１３は上昇し、そのリフトピン（図示せず）はウェーハをウェーハハンドラーから上昇させる。その後、ウェーハハンドラーは引っ込められ、シャドウリングが使用される場合には、基板支持１３はさらに上昇し、シャドウリングを持上げ、処理チャンバー（図示せず）の壁によりその支持から基板支持１３（図５Ｂ）の上方で支持される。
【００２５】
図６は発明のサセプタの第５の特徴の適切な部分の側面図である。発明サセプタ１１ｅは洗浄のためパージガス分配経路２５へのアクセスを容易にするように構成されている。特に、ピン１９（又は代わりの実施例ではスロット１７）が配置される基板支持１３の表面はパージガス分配経路２５の出口の下方にある。従って、パージ及び又はシャドウリング１５が基板支持１３から取り除かれる時、ガス分配経路の出口が露出される。洗浄をさらに容易にするため、パージガス分配経路２５は、図６に示されているように、上方（好ましくは、０°と３０°の間）に向けられてもよい。
【００２６】
上述から明らかなように、１９９８年６月２４日に出願され、共同で譲渡された米国特許出願No.09/103,462（ここにその全体を組込んでいる）のようなチャンバーは、図１から５の発明のサセプタを使用する時、伝統的な堆積チャンバー（ＣＶＤ、ＰＶＤ等）と比べて、優れた端部堆積の防止及び増加したスループットを供給する。
【００２７】
前述は本発明の好適な実施例のみを開示しており、本発明の範囲内にある上述した装置及び方法の変更は当業者であれば容易に明らかとなるであろう。例えば、発明のサセプタは、ピンが基板支持又はリングに配置されているかどうかに拘らず、端部リング（パージ及び又はシャドウ）のタイプの間にピン及びスロット結合を備えている。それぞれの図は断熱パッドの使用を示しているが、これらのパッドは任意である。さらに、伝統的には公知なように、加熱エレメントはサセプタに含まれていると認識されるであろう。また、伝統的に知られているように、好ましくは、本発明の各種実施例のそれぞれのガス放出経路２５は、（それぞれの図面に示されているように）ガス放出経路２５の開口部下方に多少延びているパージガス分配経路２７に開いており、パージガスのパージスロット２９への分配でさえ保証するバッファ経路を作るようになっている。
【００２８】
ピン及びスロットの用語は示された直線のピン及びスロット（例えば、矩形のキー等）以外の形状を含むように広く解釈されるべきである。さらに、パージ又はパージ／シャドウリングは、ピン及びスロット結合以外の機構により、基板支持に都合よく取外し可能に結合可能である。取り外し可能に結合されたパージリングはパージガス放出経路の露出出口及び上方に向いたパージガス放出経路のためになるであろう。同様に、取り外し可能に結合されたパージリングを有するかどうかのサセプタは基板支持とパージリングの間にリストリクターの間隙を有するパージガス分配経路の定義のためになることができる。従って、本発明のこれらの特徴はピン及びスロット結合又は取外し可能な結合されたパージリングにそれぞれ限定されるべきではない。
【００２９】
従って、本発明はその好適な実施例と関連して説明されているが、以下の特許請求の範囲により定義されているように、他の実施例が本発明の精神及び範囲内にあると理解されるべきである。
【図面の簡単な説明】
【図１】発明のサセプタの第１の特徴の分解斜視図である。
【図２】発明のサセプタの第１の特徴の適切な部分の側面図である。
【図３】発明のサセプタの第２の特徴の適切な部分の側面図である。
【図４】発明のサセプタの第３の特徴の適切な部分の側面図である。
【図５Ａ】発明のサセプタの適切な部分の第４の特徴の側面図である。
【図５Ｂ】発明のサセプタの適切な部分の第４の特徴の側面図である。
【図６】発明のサセプタの第５の特徴の適切な部分の側面図である。
【図１】
0004729160.tif 000002
【図２】
0004729160.tif 000003
【図３】
0004729160.tif 000004
【図４】
0004729160.tif 000005
【図５Ａ】
0004729160.tif 000006
【図５Ｂ】
0004729160.tif 000007
【図６】
0004729160.tif 000008